(57)【要約】【課題】ナビゲーション装置の位置情報を受信機へ伝達することで、地域に合った受信機の設定を実現する。【解決手段】判断提供部１２が、現在位置検出部１１が検出した現在位置がどのエリアに属するか判断し、その判断結果をエリア情報として受信機Ｔへ伝達すると、受信機Ｔの側では、設定更新部７２が、伝達されたそのエリア情報のエリアに応じエリア記憶部７１のエリア設定情報を更新する。このように更新されるエリア設定情報は、プリセットメモリの内容や、どの地域向けのデータ番組を受信するかなどの各種動作に反映される。【選択図】図１
2006108733.tif 000002
【特許請求の範囲】
【請求項１】
制御部と、
所定の地上波デジタルテレビ受信機と接続するための接続部と、
航法センサ群からの航法データに基づいて前記制御部により現在位置を検出する検出手段と、
前記検出手段が検出した現在位置がどのエリアに属するか前記制御部により判断し、その判断結果をエリア情報として前記接続部により前記地上波デジタルテレビ受信機へ伝達する判断提供手段と、
を備えたことを特徴とするナビゲーション装置。
【請求項２】
場所と郵便番号の対応関係を表す対照データベースを備え、
前記判断提供手段は、現在位置に対応する郵便番号を前記対照データベースから検索し、その郵便番号を前記エリア情報として前記接続部により前記地上波デジタルテレビ受信機へ伝達することを特徴とする請求項１記載のナビゲーション装置。
【請求項３】
前記判断提供手段は、所定の操作が入力され又は前記地上波デジタルテレビ受信機から所定の要求を受信すると、その時点で前記ナビゲーション装置において設定されている誘導経路の目的地がどのエリアに属するか前記制御部により判断したエリア情報を、前記接続部により前記地上波デジタルテレビ受信機へ伝達することを特徴とする請求項１又は２記載のナビゲーション装置。
【請求項４】
受信用のチューナーと、
前記チューナーの制御を含む情報処理を行う第二の制御部と、
動作制御用のエリア設定情報を記憶するエリア記憶部と、
所定のナビゲーション装置と接続するための接続部と、
前記ナビゲーション装置から所定のエリア情報が前記接続部により伝達された場合に、そのエリアに応じ前記第二の制御部により前記エリア記憶部の前記エリア設定情報を更新する設定更新手段と、
を備えたことを特徴とする地上波デジタルテレビ受信機。
【請求項５】
現在のエリアにおける受信可能放送局情報リストを記憶するプリセットメモリと、
エリアごとの受信可能放送局情報を予め記憶した予備記憶部と、
前記エリア設定情報に基づいて前記第二の制御部により前記予備記憶部からそのエリアの前記受信可能放送局情報を読み出して前記プリセットメモリ内の前記受信可能放送局情報リストを更新するリスト更新手段と、
を備えることを特徴とする請求項４記載の地上波デジタルテレビ受信機。
【請求項６】
電子番組表のデータ受信及び表示を前記第二の制御部により行う電子番組表機能手段を備え、
この電子番組表機能手段は、前記プリセットメモリに記憶された受信可能放送局情報リストが更新された場合に、電子番組表の少なくとも前記データ受信を行うこと
を特徴とする請求項５記載の地上波デジタルテレビ受信機。
【請求項７】
対象地域をあらわす地域情報と、放送内容である文字又は図形の少なくとも一方を伴うデータ番組のうち、前記エリア記憶部に記憶されている前記エリア設定情報に対応する地域情報を含むデータ番組を、前記第二の制御部及び前記チューナーにより受信及び表示するデータ番組機能手段、
を備えることを特徴とする請求項４から６のいずれか一項に記載の地上波デジタルテレビ受信機。
【請求項８】
地上波デジタル放送及び地上波アナログ放送を切り替え受信するチューナーと、
エリアごとの受信可能放送局情報として同一系列の地上波デジタル放送局の情報と地上波アナログ放送局の情報を互いに対応付けて予め記憶した予備記憶部と、
現在のエリアにおける受信可能放送局情報リストであって、同一系列の地上波デジタル放送局のチャンネル情報と地上波アナログ放送局のチャンネル情報を互いに対応付けたものである受信局マップを記憶するプリセットメモリと、
前記エリア設定情報に基づいて前記第二の制御部により前記予備記憶部からそのエリアの前記受信可能放送局情報を読み出して前記プリセットメモリ内の前記受信局マップを更新するリスト更新手段と、
前記プリセットメモリ内の前記受信局マップを参照することにより、受信局マップで互いに対応付けられた地上波デジタル放送と地上波アナログ放送を、受信状態に応じて前記第二の制御部及び前記チューナーにより切替受信するデジタル／アナログ切替制御手段と、
を備えたことを特徴とする請求項４から７のいずれか一項に記載の地上波デジタルテレビ受信機。
【請求項９】
請求項１から３のいずれか一項に記載のナビゲーション装置と、
請求項４から８のいずれか一項に記載の地上波デジタルテレビ受信機と、
を接続したことを特徴とする車載テレビシステム。
【請求項１０】
制御部と、
所定の地上波デジタルテレビ受信機と接続するための接続部と、
を備えるナビゲーション装置の制御方法において、
航法センサ群からの航法データに基づいて前記制御部により現在位置を検出する検出処理と、
前記検出処理が検出した現在位置がどのエリアに属するか前記制御部により判断し、その判断結果をエリア情報として前記接続部により前記地上波デジタルテレビ受信機へ伝達する判断提供処理と、
を含むことを特徴とするナビゲーション装置の制御方法。
【請求項１１】
場所と郵便番号の対応関係を表す対照データベースを用い、
前記判断提供処理は、現在位置に対応する郵便番号を前記対照データベースから検索し、その郵便番号を前記エリア情報として前記接続部により前記地上波デジタルテレビ受信機へ伝達することを特徴とする請求項１０記載のナビゲーション装置の制御方法。
【請求項１２】
前記判断提供処理は、所定の操作が入力され又は前記地上波デジタルテレビ受信機から所定の要求を受信すると、その時点で前記ナビゲーション装置において設定されている誘導経路の目的地がどのエリアに属するか前記制御部により判断したエリア情報を、前記接続部により前記地上波デジタルテレビ受信機へ伝達することを特徴とする請求項１０又は１１記載のナビゲーション装置の制御方法。
【請求項１３】
受信用のチューナーと、
前記チューナーの制御を含む情報処理を行う第二の制御部と、
動作制御用のエリア設定情報を記憶するエリア記憶部と、
所定のナビゲーション装置と接続するための接続部と、
を備えた地上波デジタルテレビ受信機の制御方法において、
前記ナビゲーション装置から所定のエリア情報が前記接続部により伝達された場合に、そのエリアに応じ前記第二の制御部により前記エリア記憶部の前記エリア設定情報を更新する設定更新処理、
を含むことを特徴とする地上波デジタルテレビ受信機の制御方法。
【請求項１４】
現在のエリアにおける受信可能放送局情報リストを記憶するプリセットメモリと、
エリアごとの受信可能放送局情報を予め記憶した予備記憶部と、
を用いて、
前記エリア設定情報に基づいて前記第二の制御部により前記予備記憶部からそのエリアの前記受信可能放送局情報を読み出して前記プリセットメモリ内の前記受信可能放送局情報リストを更新するリスト更新処理を含むことを特徴とする請求項１３記載の地上波デジタルテレビ受信機の制御方法。
【請求項１５】
電子番組表のデータ受信及び表示を前記第二の制御部により行う電子番組表機能処理を含み、
この電子番組表機能処理は、前記プリセットメモリに記憶された受信可能放送局情報リストが更新された場合に、電子番組表の少なくとも前記データ受信を行うこと
を特徴とする請求項１４記載の地上波デジタルテレビ受信機の制御方法。
【請求項１６】
対象地域をあらわす地域情報と、放送内容である文字又は図形の少なくとも一方を伴うデータ番組のうち、前記エリア記憶部に記憶されている前記エリア設定情報に対応する地域情報を含むデータ番組を、前記第二の制御部及び前記チューナーにより受信及び表示するデータ番組機能処理、
を含むことを特徴とする請求項１３から１５のいずれか一項に記載の地上波デジタルテレビ受信機の制御方法。
【請求項１７】
地上波デジタル放送及び地上波アナログ放送を切り替え受信するチューナーと、
エリアごとの受信可能放送局情報として同一系列の地上波デジタル放送局の情報と地上波アナログ放送局の情報を互いに対応付けて予め記憶した予備記憶部と、
現在のエリアにおける受信可能放送局情報リストであって、同一系列の地上波デジタル放送局のチャンネル情報と地上波アナログ放送局のチャンネル情報を互いに対応付けたものである受信局マップを記憶するプリセットメモリと、
を用いて、
前記エリア設定情報に基づいて前記第二の制御部により前記予備記憶部からそのエリアの前記受信可能放送局情報を読み出して前記プリセットメモリ内の前記受信局マップを更新するリスト更新処理と、
前記プリセットメモリ内の前記受信局マップを参照することにより、受信局マップで互いに対応付けられた地上波デジタル放送と地上波アナログ放送を、受信状態に応じて前記第二の制御部及び前記チューナーにより切替受信するデジタル／アナログ切替制御処理と、
を含むことを特徴とする請求項１３から１６のいずれか一項に記載の地上波デジタルテレビ受信機の制御方法。
【請求項１８】
請求項１０から１２のいずれか一項に記載のナビゲーション装置の制御方法と、
請求項１３から１７のいずれか一項に記載の地上波デジタルテレビ受信機の制御方法と、
を組み合わせることを特徴とする車載テレビシステムの制御方法。
【請求項１９】
制御部と、
所定の地上波デジタルテレビ受信機と接続するための接続部と、
を備えるナビゲーション装置の制御プログラムにおいて、
航法センサ群からの航法データに基づいて前記制御部により現在位置を検出する検出処理と、
前記検出処理が検出した現在位置がどのエリアに属するか前記制御部により判断し、その判断結果をエリア情報として前記接続部により前記地上波デジタルテレビ受信機へ伝達する判断提供処理と、
を行わせることを特徴とするナビゲーション装置の制御プログラム。
【請求項２０】
場所と郵便番号の対応関係を表す対照データベースを用い、
前記判断提供処理は、現在位置に対応する郵便番号を前記対照データベースから検索し、その郵便番号を前記エリア情報として前記接続部により前記地上波デジタルテレビ受信機へ伝達することを特徴とする請求項１９記載のナビゲーション装置の制御プログラム。
【請求項２１】
前記判断提供処理は、所定の操作が入力され又は前記地上波デジタルテレビ受信機から所定の要求を受信すると、その時点で前記ナビゲーション装置において設定されている誘導経路の目的地がどのエリアに属するか前記制御部により判断したエリア情報を、前記接続部により前記地上波デジタルテレビ受信機へ伝達することを特徴とする請求項１９又は２０記載のナビゲーション装置の制御プログラム。
【請求項２２】
受信用のチューナーと、
前記チューナーの制御を含む情報処理を行う第二の制御部と、
動作制御用のエリア設定情報を記憶するエリア記憶部と、
所定のナビゲーション装置と接続するための接続部と、
を備えた地上波デジタルテレビ受信機の制御プログラムにおいて、
前記ナビゲーション装置から所定のエリア情報が前記接続部により伝達された場合に、そのエリアに応じ前記第二の制御部により前記エリア記憶部の前記エリア設定情報を更新する設定更新処理、
を行わせることを特徴とする地上波デジタルテレビ受信機の制御プログラム。
【請求項２３】
現在のエリアにおける受信可能放送局情報リストを記憶するプリセットメモリと、
エリアごとの受信可能放送局情報を予め記憶した予備記憶部と、
を用いて、
前記エリア設定情報に基づいて前記第二の制御部により前記予備記憶部からそのエリアの前記受信可能放送局情報を読み出して前記プリセットメモリ内の前記受信可能放送局情報リストを更新するリスト更新処理を行わせることを特徴とする請求項２２記載の地上波デジタルテレビ受信機の制御プログラム。
【請求項２４】
電子番組表のデータ受信及び表示を行う電子番組表機能処理を前記第二の制御部に行わせ、
この電子番組表機能処理は、前記プリセットメモリに記憶された受信可能放送局情報リストが更新された場合に、電子番組表の少なくとも前記データ受信を行うこと
を特徴とする請求項２３記載の地上波デジタルテレビ受信機の制御プログラム。
【請求項２５】
対象地域をあらわす地域情報と、放送内容である文字又は図形の少なくとも一方を伴うデータ番組のうち、前記エリア記憶部に記憶されている前記エリア設定情報に対応する地域情報を含むデータ番組を、前記第二の制御部及び前記チューナーにより受信及び表示するデータ番組機能処理、
を行わせることを特徴とする請求項２２から２４のいずれか一項に記載の地上波デジタルテレビ受信機の制御プログラム。
【請求項２６】
地上波デジタル放送及び地上波アナログ放送を切り替え受信するチューナーと、
エリアごとの受信可能放送局情報として同一系列の地上波デジタル放送局の情報と地上波アナログ放送局の情報を互いに対応付けて予め記憶した予備記憶部と、
現在のエリアにおける受信可能放送局情報リストであって、同一系列の地上波デジタル放送局のチャンネル情報と地上波アナログ放送局のチャンネル情報を互いに対応付けたものである受信局マップを記憶するプリセットメモリと、
を用いて、
前記エリア設定情報に基づいて前記第二の制御部により前記予備記憶部からそのエリアの前記受信可能放送局情報を読み出して前記プリセットメモリ内の前記受信局マップを更新するリスト更新処理と、
前記プリセットメモリ内の前記受信局マップを参照することにより、受信局マップで互いに対応付けられた地上波デジタル放送と地上波アナログ放送を、受信状態に応じて前記第二の制御部及び前記チューナーにより切替受信するデジタル／アナログ切替制御処理と、
を行わせることを特徴とする請求項２２から２５のいずれか一項に記載の地上波デジタルテレビ受信機の制御プログラム。
【請求項２７】
請求項１９から２１のいずれか一項に記載のナビゲーション装置の制御プログラムと、
請求項２２から２６のいずれか一項に記載の地上波デジタルテレビ受信機の制御プログラムと、
を組み合わせることを特徴とする車載テレビシステムの制御プログラム。
【発明の詳細な説明】
【技術分野】
【０００１】
本発明は、地上波デジタルテレビ受信機に関する技術の改良に関するもので、ナビゲーション装置の位置情報を受信機へ伝達することで、地域に合った受信機の設定を実現するようにしたものである。
【背景技術】
【０００２】
近年、デジタル技術の進歩普及により、優れた画質や音声による放送や難視聴対策などのために、地上波デジタルテレビ放送が開始され、導入も急速に進みつつある。据置型の地上波デジタルテレビ受信機では、設置時の初期設定として受信地域を郵便番号などで入力設定し、その地域の受信局一覧をプリセットメモリに自動設定したり、文字多重などデータ番組の放送データに埋め込まれる地域コードと受信側で照合することにより、地方局の天気予報など地域性ある情報を対象地域でのみ選択的に受信する技術が提案されている（例えば、特許文献１参照）。
【特許文献１】特開２０００−３３３１３７
【発明の開示】
【発明が解決しようとする課題】
【０００３】
しかし、車両等の移動体向けの地上波デジタルテレビ受信機では、受信場所は、固定ではなく、仮に初期設定しても走行により頻繁にいくらでも大きく変化してしまう特性がある。このため、上記のような地域に基づく取扱いは事実上不可能で、例えば、天気予報など現在の地域に合った情報の取得も困難であった。この点、従来でも、郵便番号などのエリア情報をユーザが手作業で入力設定する技術はあったが、これでは車両等の移動に応じエリア情報を随時更新する手間と負担が大きいという課題があった。
【０００４】
本発明は、上記のような従来技術の課題を解決するもので、その目的は、ナビゲーション装置の位置情報を受信機へ伝達することで、地域に合った受信機の設定を実現することである。
【課題を解決するための手段】
【０００５】
上記の目的を達成するため、請求項１のナビゲーション装置は、制御部と、所定の地上波デジタルテレビ受信機と接続するための接続部と、航法センサ群からの航法データに基づいて前記制御部により現在位置を検出する検出手段と、前記検出手段が検出した現在位置がどのエリアに属するか前記制御部により判断し、その判断結果をエリア情報として前記接続部により前記地上波デジタルテレビ受信機へ伝達する判断提供手段と、を備えたことを特徴とする。
【０００６】
請求項１０の発明は、請求項１の発明を方法という見方から捉えたもので、制御部と、所定の地上波デジタルテレビ受信機と接続するための接続部と、を備えるナビゲーション装置の制御方法において、航法センサ群からの航法データに基づいて前記制御部により現在位置を検出する検出処理と、前記検出処理が検出した現在位置がどのエリアに属するか前記制御部により判断し、その判断結果をエリア情報として前記接続部により前記地上波デジタルテレビ受信機へ伝達する判断提供処理と、を含むことを特徴とする。
【０００７】
請求項１９の発明は、請求項１，１０の発明をコンピュータのプログラムという見方から捉えたもので、制御部と、所定の地上波デジタルテレビ受信機と接続するための接続部と、を備えるナビゲーション装置の制御プログラムにおいて、航法センサ群からの航法データに基づいて前記制御部により現在位置を検出する検出処理と、前記検出処理が検出した現在位置がどのエリアに属するか前記制御部により判断し、その判断結果をエリア情報として前記接続部により前記地上波デジタルテレビ受信機へ伝達する判断提供処理と、を行わせることを特徴とする。
【０００８】
請求項１，４，９などの本発明では、ナビゲーション装置のエリア情報を受信機へ伝達することにより、プリセットメモリの受信可能局や受信するデータ番組など受信機の動作や設定について、手動変更なしで地域に応じた自動制御が実現できるので、使い勝手に優れた快適な視聴体験が提供できる。
【０００９】
請求項２の発明は、請求項１記載のナビゲーション装置において、場所と郵便番号の対応関係を表す対照データベースを備え、前記判断提供手段は、現在位置に対応する郵便番号を前記対照データベースから検索し、その郵便番号を前記エリア情報として前記接続部により前記地上波デジタルテレビ受信機へ伝達することを特徴とする。
【００１０】
請求項１１の発明は、請求項２の発明を方法という見方から捉えたもので、請求項１０記載のナビゲーション装置の制御方法において、場所と郵便番号の対応関係を表す対照データベースを用い、前記判断提供処理は、現在位置に対応する郵便番号を前記対照データベースから検索し、その郵便番号を前記エリア情報として前記接続部により前記地上波デジタルテレビ受信機へ伝達することを特徴とする。
【００１１】
請求項２０の発明は、請求項２，１１の発明をコンピュータのプログラムという見方から捉えたもので、請求項１９記載のナビゲーション装置の制御プログラムにおいて、場所と郵便番号の対応関係を表す対照データベースを用い、前記判断提供処理は、現在位置に対応する郵便番号を前記対照データベースから検索し、その郵便番号を前記エリア情報として前記接続部により前記地上波デジタルテレビ受信機へ伝達することを特徴とする。
【００１２】
これらの態様では、さらに、エリア情報として郵便番号を利用することにより、従来から既存の地上波デジタルテレビ受信機やその部品等を活用可能となり、さらに、郵便番号を用いれば上位桁からどこまでを一致判断するかにより、受信地域の広狭を容易に調節可能となる。
【００１３】
請求項３の発明は、請求項１又は２記載のナビゲーション装置において、前記判断提供手段は、所定の操作が入力され又は前記地上波デジタルテレビ受信機から所定の要求を受信すると、その時点で前記ナビゲーション装置において設定されている誘導経路の目的地がどのエリアに属するか前記制御部により判断したエリア情報を、前記接続部により前記地上波デジタルテレビ受信機へ伝達することを特徴とする。
【００１４】
請求項１２の発明は、請求項３の発明を方法という見方から捉えたもので、請求項１０又は１１記載のナビゲーション装置の制御方法において、前記判断提供処理は、所定の操作が入力され又は前記地上波デジタルテレビ受信機から所定の要求を受信すると、その時点で前記ナビゲーション装置において設定されている誘導経路の目的地がどのエリアに属するか前記制御部により判断したエリア情報を、前記接続部により前記地上波デジタルテレビ受信機へ伝達することを特徴とする。
【００１５】
請求項２１の発明は、請求項３，１２の発明をコンピュータのプログラムという見方から捉えたもので、請求項１９又は２０記載のナビゲーション装置の制御プログラムにおいて、前記判断提供処理は、所定の操作が入力され又は前記地上波デジタルテレビ受信機から所定の要求を受信すると、その時点で前記ナビゲーション装置において設定されている誘導経路の目的地がどのエリアに属するか前記制御部により判断したエリア情報を、前記接続部により前記地上波デジタルテレビ受信機へ伝達することを特徴とする。
【００１６】
これらの態様では、さらに、所定の操作により、現在設定されている誘導経路の目的地のエリア情報を現在位置の代りに地上波デジタルテレビ受信機へ伝達するので、目的地の天気予報を得るなど幅広い応用が可能となる。
【００１７】
請求項４の地上波デジタルテレビ受信機は、受信用のチューナーと、前記チューナーの制御を含む情報処理を行う第二の制御部と、動作制御用のエリア設定情報を記憶するエリア記憶部と、所定のナビゲーション装置と接続するための接続部と、前記ナビゲーション装置から所定のエリア情報が前記接続部により伝達された場合に、そのエリアに応じ前記第二の制御部により前記エリア記憶部の前記エリア設定情報を更新する設定更新手段と、を備えたことを特徴とする。
【００１８】
請求項１３の地上波デジタルテレビ受信機の制御方法は、請求項４の発明を方法という見方から捉えたもので、受信用のチューナーと、前記チューナーの制御を含む情報処理を行う第二の制御部と、動作制御用のエリア設定情報を記憶するエリア記憶部と、所定のナビゲーション装置と接続するための接続部と、を備えた地上波デジタルテレビ受信機の制御方法において、前記ナビゲーション装置から所定のエリア情報が前記接続部により伝達された場合に、そのエリアに応じ前記第二の制御部により前記エリア記憶部の前記エリア設定情報を更新する設定更新処理、を含むことを特徴とする。
【００１９】
請求項２２の発明は、請求項４，１３の発明をコンピュータのプログラムという見方から捉えたもので、受信用のチューナーと、前記チューナーの制御を含む情報処理を行う第二の制御部と、動作制御用のエリア設定情報を記憶するエリア記憶部と、所定のナビゲーション装置と接続するための接続部と、を備えた地上波デジタルテレビ受信機の制御プログラムにおいて、前記ナビゲーション装置から所定のエリア情報が前記接続部により伝達された場合に、そのエリアに応じ前記第二の制御部により前記エリア記憶部の前記エリア設定情報を更新する設定更新処理、を行わせることを特徴とする。
【００２０】
請求項５の発明は、請求項４記載の地上波デジタルテレビ受信機において、現在のエリアにおける受信可能放送局情報リストを記憶するプリセットメモリと、エリアごとの受信可能放送局情報を予め記憶した予備記憶部と、前記エリア設定情報に基づいて前記制御部により前記予備記憶部からそのエリアの前記受信可能放送局情報を読み出して前記プリセットメモリ内の前記受信可能放送局情報リストを更新するリスト更新手段と、を備えることを特徴とする。
【００２１】
請求項１４の発明は、請求項５の発明を方法という見方から捉えたもので、請求項１３記載の地上波デジタルテレビ受信機の制御方法において、現在のエリアにおける受信可能放送局情報リストを記憶するプリセットメモリと、エリアごとの受信可能放送局情報を予め記憶した予備記憶部と、を用いて、前記エリア設定情報に基づいて前記制御部により前記予備記憶部からそのエリアの前記受信可能放送局情報を読み出して前記プリセットメモリ内の前記受信可能放送局情報リストを更新するリスト更新処理を含むことを特徴とする。
【００２２】
請求項２３の発明は、請求項５，１４の発明をコンピュータのプログラムという見方から捉えたもので、請求項２２記載の地上波デジタルテレビ受信機の制御プログラムにおいて、現在のエリアにおける受信可能放送局情報リストを記憶するプリセットメモリと、エリアごとの受信可能放送局情報を予め記憶した予備記憶部と、を用いて、前記エリア設定情報に基づいて前記制御部により前記予備記憶部からそのエリアの前記受信可能放送局情報を読み出して前記プリセットメモリ内の前記受信可能放送局情報リストを更新するリスト更新処理を行わせることを特徴とする。
【００２３】
これらの態様では、さらに、エリアの移動に応じ、プリセットメモリ内の放送局情報リストも更新することにより、ナビゲーション装置から提供されるエリア情報が確実容易に利用反映され、いつでもどの地域でも受信可能なすべての局の地上デジタル放送が円滑に視聴可能となる。
【００２４】
請求項６の発明は、請求項５記載の地上波デジタルテレビ受信機において、電子番組表のデータ受信及び表示を前記制御部により行う電子番組表機能手段を備え、この電子番組表機能手段は、前記プリセットメモリに記憶された受信可能放送局情報リストが更新された場合に、電子番組表の少なくとも前記データ受信を行うことを特徴とする。
【００２５】
請求項１５の発明は、請求項６の発明を方法という見方から捉えたもので、請求項１４記載の地上波デジタルテレビ受信機の制御方法において、電子番組表のデータ受信及び表示を前記制御部により行う電子番組表機能処理を含み、この電子番組表機能処理は、前記プリセットメモリに記憶された受信可能放送局情報リストが更新された場合に、電子番組表の少なくとも前記データ受信を行うことを特徴とする。
【００２６】
請求項２４の発明は、請求項６，１５の発明をコンピュータのプログラムという見方から捉えたもので、請求項２３記載の地上波デジタルテレビ受信機の制御プログラムにおいて、電子番組表のデータ受信及び表示を行う電子番組表機能処理を前記制御部に行わせ、この電子番組表機能処理は、前記プリセットメモリに記憶された受信可能放送局情報リストが更新された場合に、電子番組表の少なくとも前記データ受信を行うことを特徴とする。
【００２７】
これらの態様では、さらに、エリアに伴ってプリセットメモリの放送局情報リストが更新された場合に、それに応じた電子番組表のデータ受信により、いつでもどの地域でも正確な電子番組表サービスが利用可能となる。
【００２８】
請求項７の発明は、請求項４から６のいずれか一項に記載の地上波デジタルテレビ受信機において、対象地域をあらわす地域情報と、放送内容である文字又は図形の少なくとも一方を伴うデータ番組のうち、前記エリア記憶部に記憶されている前記エリア設定情報に対応する地域情報を含むデータ番組を、前記制御部及び前記チューナーにより受信及び表示するデータ番組機能手段、を備えることを特徴とする。
【００２９】
請求項１６の発明は、請求項７の発明を方法という見方から捉えたもので、請求項１３から１５のいずれか一項に記載の地上波デジタルテレビ受信機の制御方法において、対象地域をあらわす地域情報と、放送内容である文字又は図形の少なくとも一方を伴うデータ番組のうち、前記エリア記憶部に記憶されている前記エリア設定情報に対応する地域情報を含むデータ番組を、前記制御部及び前記チューナーにより受信及び表示するデータ番組機能処理、を含むことを特徴とする。
【００３０】
請求項２５の発明は、請求項７，１６の発明をコンピュータのプログラムという見方から捉えたもので、請求項２２から２４のいずれか一項に記載の地上波デジタルテレビ受信機の制御プログラムにおいて、対象地域をあらわす地域情報と、放送内容である文字又は図形の少なくとも一方を伴うデータ番組のうち、前記エリア記憶部に記憶されている前記エリア設定情報に対応する地域情報を含むデータ番組を、前記制御部及び前記チューナーにより受信及び表示するデータ番組機能処理、を行わせることを特徴とする。
【００３１】
これらの態様では、さらに、地上波デジタルテレビで放送される文字多重などのデータ番組を選択した際に、自車位置や目的地の天気予報など、地域に応じた適切な情報を容易に得ることが可能となるので、安全快適なドライブが実現される。
【００３２】
請求項８の発明は、請求項４から７のいずれか一項に記載の地上波デジタルテレビ受信機において、地上波デジタル放送及び地上波アナログ放送を切り替え受信するチューナーと、エリアごとの受信可能放送局情報として同一系列の地上波デジタル放送局の情報と地上波アナログ放送局の情報を互いに対応付けて予め記憶した予備記憶部と、現在のエリアにおける受信可能放送局情報リストであって、同一系列の地上波デジタル放送局のチャンネル情報と地上波アナログ放送局のチャンネル情報を互いに対応付けたものである受信局マップを記憶するプリセットメモリと、前記エリア設定情報に基づいて前記制御部により前記予備記憶部からそのエリアの前記受信可能放送局情報を読み出して前記プリセットメモリ内の前記受信局マップを更新するリスト更新手段と、前記プリセットメモリ内の前記受信局マップを参照することにより、受信局マップで互いに対応付けられた地上波デジタル放送と地上波アナログ放送を、受信状態に応じて前記制御部及び前記チューナーにより切替受信するデジタル／アナログ切替制御手段と、を備えたことを特徴とする。
【００３３】
請求項１７の発明は、請求項８の発明を方法という見方から捉えたもので、請求項１３から１６のいずれか一項に記載の地上波デジタルテレビ受信機の制御方法において、地上波デジタル放送及び地上波アナログ放送を切り替え受信するチューナーと、エリアごとの受信可能放送局情報として同一系列の地上波デジタル放送局の情報と地上波アナログ放送局の情報を互いに対応付けて予め記憶した予備記憶部と、現在のエリアにおける受信可能放送局情報リストであって、同一系列の地上波デジタル放送局のチャンネル情報と地上波アナログ放送局のチャンネル情報を互いに対応付けたものである受信局マップを記憶するプリセットメモリと、を用いて、前記エリア設定情報に基づいて前記制御部により前記予備記憶部からそのエリアの前記受信可能放送局情報を読み出して前記プリセットメモリ内の前記受信局マップを更新するリスト更新処理と、前記プリセットメモリ内の前記受信局マップを参照することにより、受信局マップで互いに対応付けられた地上波デジタル放送と地上波アナログ放送を、受信状態に応じて前記制御部及び前記チューナーにより切替受信するデジタル／アナログ切替制御処理と、を含むことを特徴とする。
【００３４】
請求項２６の発明は、請求項８，１７の発明をコンピュータのプログラムという見方から捉えたもので、請求項２２から２５のいずれか一項に記載の地上波デジタルテレビ受信機の制御プログラムにおいて、地上波デジタル放送及び地上波アナログ放送を切り替え受信するチューナーと、エリアごとの受信可能放送局情報として同一系列の地上波デジタル放送局の情報と地上波アナログ放送局の情報を互いに対応付けて予め記憶した予備記憶部と、現在のエリアにおける受信可能放送局情報リストであって、同一系列の地上波デジタル放送局のチャンネル情報と地上波アナログ放送局のチャンネル情報を互いに対応付けたものである受信局マップを記憶するプリセットメモリと、を用いて、前記エリア設定情報に基づいて前記制御部により前記予備記憶部からそのエリアの前記受信可能放送局情報を読み出して前記プリセットメモリ内の前記受信局マップを更新するリスト更新処理と、前記プリセットメモリ内の前記受信局マップを参照することにより、受信局マップで互いに対応付けられた地上波デジタル放送と地上波アナログ放送を、受信状態に応じて前記制御部及び前記チューナーにより切替受信するデジタル／アナログ切替制御処理と、を行わせることを特徴とする。
【００３５】
これらの態様では、さらに、同じネット局のデジタルとアナログの放送について、予め対応付けた受信局マップにより切替受信することで、地域により一方の電波が届かないような場合も互いの補完により、受信が途切れにくくなり安定性と確実性が改善する。
【００３６】
特に、インフラが整備されるまでの過渡期では、アナログテレビとの並行放送に対応して受信機のマイコンなど制御部が、同じ系列（ネット局）のアナログ放送とデジタル放送を対応付ける受信局マップなどの対照データを持ち、地域や電波の強さなどに応じアナログとデジタルを切り換えることが考えられる。この場合、エリア情報の更新によってこのマップも更新することで、移動する車両のようにそもそも電波受信状態が安定しにくい場合でも、移動とともにより良い電波すなわち放送への円滑な自動追従が容易になる。
【００３７】
請求項９の車載テレビシステムは、請求項１から３のいずれか一項に記載のナビゲーション装置と、請求項４から８のいずれか一項に記載の地上波デジタルテレビ受信機と、を接続したことを特徴とする。
【００３８】
請求項１８の車載テレビシステムの制御方法は、請求項９の発明を方法という見方から捉えたもので、請求項１０から１２のいずれか一項に記載のナビゲーション装置の制御方法と、請求項１３から１７のいずれか一項に記載の地上波デジタルテレビ受信機の制御方法と、を組み合わせることを特徴とする。
【００３９】
請求項２７の車載テレビシステムの制御プログラムは、請求項９，１８の発明をコンピュータのプログラムという見方から捉えたもので、請求項１９から２１のいずれか一項に記載のナビゲーション装置の制御プログラムと、請求項２２から２６のいずれか一項に記載の地上波デジタルテレビ受信機の制御プログラムと、を組み合わせることを特徴とする。
【発明の効果】
【００４０】
以上のように、本発明では、ナビゲーション装置のエリア情報を受信機へ伝達することにより、プリセットメモリの受信可能局や受信するデータ番組など受信機の動作や設定について、手動変更なしで地域に応じた自動制御が実現できるので、使い勝手に優れた快適な視聴体験が提供できる。
【発明を実施するための最良の形態】
【００４１】
次に、本発明を実施するための最良の実施形態について、図面に沿って説明する。なお、背景技術や課題においてすでに説明し本発明や実施形態と共通の前提事項は繰り返さない。
【００４２】
〔１．第一実施形態の構成〕
第一実施形態は、図１の機能ブロック図に示すように、ナビゲーション装置Ｎと、地上波デジタルテレビ受信機（以下「受信機」と呼ぶ）Ｔと、を接続したことを特徴とする車載テレビシステム（以下「本システム」と呼ぶ）である。これらナビゲーション装置Ｎならびに受信機Ｔはそれぞれ、液晶表示画面、操作スイッチ類、リモコンユニット、スピーカなど、図示しない入出力手段のほか、相手と接続するための接続部Ｃ１ならびにＣ２によって互いに接続され、これら接続部Ｃ１及びＣ２は、互いに接続するためのデータバス用の接続端子等を備える。また、本発明は、全体のみならず各装置（Ｎ，Ｔ）としても、また、それらに対応する制御方法及びプログラムとしても把握可能である。
【００４３】
〔１−１．ナビゲーション装置〕
本システムにおけるナビゲーション装置Ｎは、マイクロコンピュータなどの制御部（以下仮に「ナビマイコン」と呼ぶものとする）１を備え、このナビマイコン１はプログラムにより、現在位置検出部１１及び判断提供部１２の役割を果たす。このうち現在位置検出部１１は、図示しない航法センサ群すなわちＧＰＳ、ジャイロ、車速パルス入力部などからの航法データに基づいて、現在位置を検出する検出手段であり、ここでいう現在位置は、例えば、経度緯度による座標値など、マップマッチング前のものでもよい。
【００４４】
また、判断提供部１２は、現在位置検出部１１が検出した現在位置がどのエリアに属するかナビマイコン１により判断し、その判断結果をエリア情報として接続部Ｃ１により受信機Ｔへ伝達する判断提供手段である。
【００４５】
また、ナビゲーション装置Ｎは、場所と郵便番号の対応関係を表す対照データベース（以下「郵便番号ＤＢ」と呼ぶ）２を備え、この郵便番号ＤＢ２は、例えば、従来からナビゲーション装置が目的地検索などのために通常有するものでよい。
【００４６】
〔１−２．受信機〕
また、本システムにおける受信機Ｔは、受信用のチューナーパック（以下単に「チューナー」と呼ぶ）３と、信号処理用のＯＦＤＭ部４と、Ｖ−ＩＦ／Ｓ−ＩＦ部５と、ＭＰＥＧ部６と、を備える。このうちＯＦＤＭ部４は直交派周波数分割多重処理を行う部分である。また、Ｖ−ＩＦ／Ｓ−ＩＦ部５は、チューナー３で選択後のテレビ信号に含まれる映像信号と音声信号を復調するためのＩＣ回路で、Video Intermediate Frequency（中間周波）及びSound Intermediate Frequencyの処理を行う。また、ＭＰＥＧ部６は動画再生用ＭＰＥＧデコーダである。
【００４７】
また、受信機Ｔは、ューナー３の制御を含む情報処理を行うマイクロコンピュータなどの第二の制御部７を備え、この第二の制御部７は、ナビゲーション装置Ｎの制御部（ナビマイコン）１との区別のため第二の制御部と呼ぶだけで、受信機Ｔに制御部が二つあるという意味ではないので、以下「テレビマイコン」（７）と呼ぶ。
【００４８】
また、受信機Ｔは、動作制御用のエリア設定情報を記憶しておくエリア記憶部７１を備えるほか、テレビマイコン７がプログラムにより、設定更新部７２の役割を果たし、この設定更新部７２は、ナビゲーション装置Ｎから前記エリア情報が接続部Ｃ２により伝達された場合に、そのエリアに応じエリア記憶部７１の前記エリア設定情報を更新する設定更新手段である。なお、図１において破線で示すデジタル／アナログ切替部７７は、後で説明する第二実施形態の構成である。
【００４９】
第一実施形態の他の構成は、作用効果とともに後述する。
【００５０】
〔２．第一実施形態の作用効果〕
すなわち、第一実施形態の作用、効果と、他の構成は以下のようになる。
〔２−１．概略〕
大まかな作用としては、まず、ナビゲーション装置Ｎ側において、判断提供部１２が、現在位置検出部１１が検出した現在位置がどのエリアに属するか判断し、その判断結果をエリア情報として受信機Ｔへ伝達すると、受信機Ｔの側では、設定更新部７２が、伝達されたそのエリア情報のエリアに応じエリア記憶部７１の前記エリア設定情報を更新する。このように更新されるエリア設定情報は、プリセットメモリの内容や、どの地域向けのデータ番組を受信するかなどの各種動作に反映される。
【００５１】
このように、第一実施形態では、ナビゲーション装置のエリア情報を受信機へ伝達することにより、プリセットメモリの受信可能局や受信するデータ番組など受信機の動作や設定について、手動変更なしで地域に応じた自動制御が実現できるので、使い勝手に優れた快適な視聴体験が提供できる。
【００５２】
以下、より具体的に説明する。
〔２−２．エリア情報の提供〕
すなわち、まず、ナビゲーション装置Ｎにおいて、上記のように現在位置検出部１１が現在位置を検出すると、判断提供部１２は、現在位置に対応する郵便番号を郵便番号ＤＢ２から検索し、その郵便番号を前記エリア情報として接続部Ｃ１により受信機Ｔへ伝達する。なお、システムやデータ等の構成に応じ、例えば、座標等の現在位置情報から郵便番号を直接検索できればそれでよいが、郵便番号がエリアと対応付けられている場合、まず、現在位置がどのエリアに属するか判断したうえ、そのエリアに対応する郵便番号を検索してもよい。
【００５３】
このように、エリア情報として郵便番号を利用することにより、従来から既存の受信機やその部品等を少ない改修で活用可能となり、さらに、郵便番号を用いれば上位桁からどこまでを一致判断するかにより、受信地域の広狭を容易に調節可能となる。なお、実際のエリア情報は、郵便番号のほか、都道府県や市町村などの行政区画を単位としたエリアコードなどでもよい。
【００５４】
また、ナビゲーション装置Ｎや受信機Ｔで所定の操作を行うことで、現在位置以外にも、ナビゲーション装置Ｎに設定されている目的地のエリア情報により、受信機Ｔに受信等の動作をさせることもできる。すなわち、ナビゲーション装置Ｎの判断提供部１２は、ナビゲーション装置Ｎにおいて所定の操作が入力され、又は、受信機Ｔでの所定の操作に基づき受信機Ｔから所定の要求を受信すると、その時点でナビゲーション装置Ｎにおいて設定されている誘導経路の目的地がどのエリアに属するかナビマイコン１により判断したエリア情報を、接続部Ｃ１により受信機Ｔへ伝達する。
【００５５】
このように、所定の操作により、現在設定されている誘導経路の目的地のエリア情報を現在位置の代りに受信機へ伝達することにより、目的地の天気予報を得るなど幅広い応用が可能となる。
【００５６】
以上のようなエリア設定情報をもとに働く機能として次のようなものが考えられる。
〔２−３．プリセットメモリの更新〕
受信機Ｔは、現在のエリアにおける受信可能放送局情報リストを記憶するプリセットメモリ７３と、エリアごとの受信可能放送局情報を予め記憶した予備記憶部８と、を備え、また、受信機Ｔのテレビマイコン７はプログラムにより、リスト更新部７４の役割を果たす。このリスト更新部７４はリスト更新手段であり、エリア記憶部７１内の前記エリア設定情報が変化するとそれに基づいて予備記憶部８からそのエリアの受信可能放送局情報を読み出し、プリセットメモリ７３内の前記受信可能放送局情報リストを更新する。
【００５７】
この更新動作は受信機Ｔや本システムの導入初期には受信可能放送局情報リストの新規作成となる。なお、このリストの新規作成や更新の際は、予めの設計、条件判断や指示入力により、全チャンネルのスキャンを行ってもよい。また、更新は、自動で行ってもよいし、エリア情報が更新された場合にユーザに再スキャン操作を促しその操作を待って行ってもよい。
【００５８】
このように、エリアの移動に応じ、プリセットメモリ内の放送局情報リストも更新することにより、ナビゲーション装置から提供されるエリア情報が確実容易に利用反映され、いつでもどの地域でも受信可能なすべての局の地上デジタル放送が円滑に視聴可能となる。
【００５９】
〔２−４．電子番組表の更新〕
また、受信機Ｔにおいて、エリア情報の更新は、電子番組表にも反映させる。すなわち、受信機Ｔのテレビマイコン７はプログラムにより電子番組表機能部７５を役割を果たし、この電子番組表機能部７５は、電子番組表のデータ受信を放送電波からの抽出や携帯電話による通信ネットワーク接続などにより行うとともに、受信したデータに基づいた電子番組表の表示を行う電子番組表機能手段であり、プリセットメモリ７３に記憶された受信可能放送局情報リストが更新された場合は、電子番組表について少なくとも前記データ受信を行う。
【００６０】
このように、エリアに伴ってプリセットメモリの放送局情報リストが更新された場合に、それに応じた電子番組表のデータ受信を行うことにより、いつでもどの地域でも正確な電子番組表サービスが利用可能となる。
【００６１】
〔２−５．データ番組の選択〕
また、受信機Ｔにおいて、エリア情報の更新は、どのデータ番組を受信するかにも反映される。すなわち、受信機Ｔのテレビマイコン７はプログラムにより、データ番組機能部７６の役割を果たし、このデータ番組機能部７６はデータ番組機能手段であり、対象地域をあらわす地域情報と、放送内容である文字又は図形の少なくとも一方を伴うデータ番組のうち、エリア記憶部７１に記憶され随時更新されているエリア設定情報に対応する地域情報を含むデータ番組を、チューナー３により受信及び表示する。
【００６２】
このように、第一実施形態によれば、地上波デジタルテレビで放送される文字多重などのデータ番組を選択した際に、自車位置や目的地の天気予報など、地域に応じた適切な情報を容易に得ることが可能となるので、安全快適なドライブが実現される。
【００６３】
〔２−６．処理手順の例〕
上記のような第一実施形態における処理の流れの一例を図２のフローチャートに示す。すなわち、この例では、受信機Ｔにナビゲーション装置Ｎが接続されている場合（ステップ１）、受信機Ｔへ伝達するエリアについて自車の現在位置か設定中の目的地かの選択操作を受け付け（ステップ２）、その選択に応じＧＰＳなどにより現在位置（ステップ３）又は目的地（ステップ４）の位置情報を取得し、その属するエリアについて郵便番号等のエリアコードを検索のうえエリア情報として受信機Ｔへ伝達する（ステップ５）。このエリアが地上波デジタル放送の受信エリアであれば（ステップ６）、エリアがプリセットメモリなど受信機Ｔの各情報に反映される（ステップ７）。
【００６４】
〔３．第二実施形態〕
また、第二実施形態として、地上波放送のデジタルとアナログを受信状態に応じ同一ネット局間で切替えるようにしてもよい。この場合、図１に示した第一実施形態の構成のうち、受信機Ｔについて、次のような変更を加える。まず、チューナー（３）に代え、地上波デジタル放送及び地上波アナログ放送を切り替え受信するタイプのものを用いる。また、予備記憶部（８）に代え、エリアごとの受信可能放送局情報として同一系列の地上波デジタル放送局の情報と地上波アナログ放送局の情報を互いに対応付けて予め記憶した予備記憶部とする。また、プリセットメモリ（７３）に代え、現在のエリアにおける受信可能放送局情報リストであって、同一系列の地上波デジタル放送局のチャンネル情報と地上波アナログ放送局のチャンネル情報を互いに対応付けたものである受信局マップを記憶するプリセットメモリとする。また、リスト更新部（７４）に代え、エリア記憶部７１のエリア設定情報が変化するとそれに基づいて上記の予備記憶部からそのエリアの前記受信可能放送局情報を読み出して前記プリセットメモリ内の前記受信局マップを更新するリスト更新手段とする。
【００６５】
また、制御部（テレビマイコン）はプログラムにより、図１に破線で示すデジタル／アナログ切替部７７の役割を果たす。このデジタル／アナログ切替部７７は、デジタル／アナログ切替手段であり、前記プリセットメモリ内の前記受信局マップを参照することにより、受信局マップで互いに対応付けられた地上波デジタル放送と地上波アナログ放送を、それぞれの受信状態に応じて前記制御部及び前記チューナーにより切替受信する。
【００６６】
このように、同じネット局のデジタルとアナログの放送について、予め対応付けた受信局マップにより切替受信することで、地域により一方の電波が届かないような場合も互いの補完により、受信が途切れにくくなり安定性と確実性が改善する。
【００６７】
特に、地上波デジタル放送のインフラが整備されるまでの過渡期では、上に述べたように、アナログテレビとの並行放送に対応して受信機のマイコンなど制御部が、同じ系列すなわちネット局のアナログ放送とデジタル放送を対応付ける受信局マップなどの対照データを持ち、地域や電波の強さなどに応じアナログとデジタルを切り換えることが考えられる。この場合、第二実施形態のように、エリア情報の更新によってこのマップも更新することで、移動する車両のようにそもそも電波受信状態が安定しにくい場合でも、移動とともにより良い電波すなわち放送への円滑な自動追従が容易になる。
【００６８】
〔４．他の実施形態〕
なお、本発明は上記実施形態には限定されず、以下に例示するもの及びそれ以外のものを含む他の実施形態も本発明に含まれるものである。例えば、データ番組機能部７６、電子番組表機能部７５、リスト更新部７４、郵便番号ＤＢ２などについては、用いない構成も採用可能である。また、上記各実施形態では、互いに別体のナビゲーション装置と地上波デジタルテレビ受信機とを接続する例を示したが、両者は一体に構成してもよい。
【図面の簡単な説明】
【００６９】
【図１】本発明の実施形態の構成を示す機能ブロック図。
【図２】本発明の実施形態における処理手順を示すフローチャート。
【符号の説明】
【００７０】
Ｎ…ナビゲーション装置
１…制御部（ナビマイコン）
１１…現在位置検出部
１２…判断提供部
Ｃ１…接続部
Ｔ…地上波デジタルテレビ受信機
３…チューナー
４…ＯＦＤＭ部
５…Ｖ−ＩＦ／Ｓ−ＩＦ部
６…ＭＰＥＧ部
７…制御部（テレビマイコン）
７１…エリア記憶部
７２…設定更新部
７３…プリセットメモリ
７４…リスト更新部
７５…電子番組表機能部
７６…データ番組機能部
８…予備記憶部
７７…デジタル／アナログ切替部
【図１】
2006108733.tif 000003
【図２】
2006108733.tif 000004